(57)【特許請求の範囲】
【請求項１】
連続供給されるウェブ材（Ｍ）をジグザグ長（４）で配置収納するウェブ材配置収納装置において、供給路内に設けられた揺動アーム（１）と、前記ウェブ材（Ｍ）を前記ジグザグ長（４）の少なくとも折り返し点（５）のエリアで押止する押止装置（３）を備え、
前記押止装置（３）は前記揺動アーム（１）上に配設されており、
前記揺動アーム（１）は、ほぼ水平な揺動軸（Ａ）に枢動可能に支持され、前記揺動軸（Ａ）とは反対側にある前記揺動アーム（１）の端部に前記押止装置（３）が配設されており、
前記押止装置（３）は、最後に載置したジグザグ長（４）のウェブ材（Ｍ）上を滑動する円弧面（６）を有することを特徴とするウェブ材配置収納装置。
【請求項２】
前記円弧面（６）は低摩擦面を有することを特徴とする請求項１に記載のウェブ材配置収納装置。
【請求項３】
前記押止装置（３）は断面がリング片形状であることを特徴とする請求項１または２に記載のウェブ材配置収納装置。
【請求項４】
前記押止装置（３）はその後部に少なくとも１つの切欠き部（１１）が形成されていることを特徴とする請求項１乃至３のいずれか１項に記載のウェブ材配置収納装置。
【請求項５】
前記揺動アーム（１）にはウェブコンベア（７）が設けられ、当該ウェブコンベア（７）と共に前記ウェブ材（Ｍ）は、前記揺動アーム（１）の上端部から前記押止装置（３）の開口部（８）へ向け搬送され、前記ウェブ材（Ｍ）は当該開口部（８）を通って前記揺動アーム（１）から出ることを特徴とする請求項１乃至４のいずれか１項に記載のウェブ材配置収納装置。
【請求項６】
前記ウェブコンベア（７）の構成要素として少なくとも１つの下方変位ローラ（１７a、１７b）が設けられ、前記押止装置（３）の円弧面（６）は前記変位ローラ（１７a、１７b）の下側位置まで延在し、前記円弧面（６）には上方に延在する壁面（８a）が隣接し、当該壁面（８a）は前記変位ローラ（１７a、１７b）の底側より上のレベルまで延在していることを特徴とする請求項５に記載のウェブ材配置収納装置。
【請求項７】
前記壁面（８a）と、対称に配置された壁面（８ｂ）とにより、上方に先細りの出口開口部（８）の断面が形成されることを特徴とする請求項６に記載のウェブ材配置収納装置。
【請求項８】
前記揺動アーム（１）の上端部には漏斗状部（９）が設けられ、当該漏斗状部（９）を通って、ウェブコンベア（７）にウェブ材（Ｍ）が供給されることを特徴とする請求項１乃至７のいずれか１項に記載のウェブ材配置収納装置。
【請求項９】
前記揺動アーム（１）の駆動がリニアモータ（２８）により行われることを特徴とする請求項１乃至８のいずれか１項に記載のウェブ材配置収納装置。
【請求項１０】
ウェブ材（Ｍ）のジグザグ長（４）は複数の積層（Ｅ）で、缶（２）内に配置されることを特徴とする請求項１乃至９のいずれか１項に記載のウェブ材配置収納装置。
【請求項１１】
前記缶（２）は略矩形の底部を備え、前記ジグザグ長（４）は前記缶（２）の両長辺（Ｌ）の間に延在していることを特徴とする請求項１０に記載のウェブ材配置収納装置。
【請求項１２】
前記缶（２）はジグザグ長（４）が載置される載置板（１２）を備え、当該載置板（１２）はバネ（Ｆ）の力に抗して前記缶（２）の内方に下降可能であることを特徴とする請求項１０または１１に記載のウェブ材配置収納装置。
【請求項１３】
前記缶（２）は、前記揺動アーム（１）の下側を通るように、駆動手段により前記揺動軸（Ａ）方向に移動可能であることを特徴とする請求項１０乃至１２のいずれか１項に記載のウェブ材配置収納装置。
【請求項１４】
前記缶（２）はその長辺（Ｌ）方向に移動可能であることを特徴とする請求項１１に記載のウェブ材配置収納装置。
【請求項１５】
２つの缶（２）が基礎構造（２５）内で移動可能であることを特徴とする請求項１０乃至１４のいずれか１項に記載のウェブ材配置収納装置。
【請求項１６】
請求項１から１５までのいずれか１項記載のウェブ材配置収納装置を用いる、ウェブ材（Ｍ）を矩形エリア内にジグザグ長（４）の積層（Ｅ）として配置収納するウェブ材配置収納方法において、
直下層（Ｅ１）から新たに載置される層（Ｅ２）への移動に伴い、前記揺動アーム（１）の振れ幅が交互に増減を繰り返すことで、前記新たに載置される層（Ｅ２）の少なくとも１つの折り返し点（５）が前記直下層（Ｅ１）の折り返し点（５）よりも、前記矩形エリアに関して内側に位置することを特徴とするウェブ材配置収納方法。
【請求項１７】
１つの層（Ｅ）に係るジグザグ長（４）の折り返し点（５）が同一の折り返し列（Ｒ）上に並ぶことを特徴とする請求項１６に記載のウェブ材配置収納方法。
【請求項１８】
新たに載置される層（Ｅ２）の両折り返し列（Ｒ）が直下層（Ｅ１）に比べて、距離（ΔＡ）だけ横にずれて配置されることを特徴とする請求項１７に記載のウェブ材配置収納方法。
【請求項１９】
１つの層（Ｅ１）に係る２つの折り返し点（５）が内側に形成された後に、前記矩形エリアと面が揃えられた２つの折り返し点（５）が続き、後続層（Ｅ２）に係る、面が揃えられた当該２つの折り返し点（５）は前記１つの層（Ｅ１）に係る２つの折り返し点（５）の上側に形成されることを特徴とする請求項１６に記載のウェブ材配置収納方法。
【請求項２０】
２つの層（Ｅ）がそれぞれ配置された後に、２つの層（Ｅ１，Ｅ２）の配置が繰り返されることを特徴とする請求項１６乃至１９のいずれか１項に記載のウェブ材配置収納方法。
【発明の詳細な説明】
【技術分野】
【０００１】
本発明は、連続して供給されるウェブ材をジグザグ長に重ねて配置する配置収納装置に関する。特に、供給路内に揺動（pendulum、振り子）アームを備えるとともに、少なくとも、ウェブ材をジグザグ長の折り返し点のエリアに押圧する押止装置を備えた、配置収納装置（積層配置装置）に関する。
【背景技術】
【０００２】
例えば、不織布、紙などの素材からなるウェブ材の製造は連続工程で行われることが多い。連続製造ウェブ材は、製造後、収納容器または輸送容器内に，ジグザグ長にそれぞれ重ねられた層またはシート（plate）として積層配置される。国際出願公開９８／１８７０６号に記載される装置では、ウェブ材供給路内に設けた揺動アームによって、連続供給ウェブ材の積層配置を実現している。揺動アームは両端の位置間で前後に振れる一方で、揺動アームの下方にある収納容器は揺動アームと交差するように移動し、結果としてウェブ材はジグザグ長の形態で連続的に配置収納される。
【０００３】
ウェブ材をジグザグ長に配置する場合、個々のジグザグ長間の折り返し点エリアで折り返しループ（返し輪）が生じる問題があった。返し輪は他層の部分から反って膨らもうとする。このような脹らみのために、ある程度以上、ジグザグ長を重ねていくことが困難となり、収納容器または輸送容器内に詰め込めるウェブ材の量が制限される。この種の返し輪を極力小さくするため、国際出願公開９８／１８７０６号では、空圧型の押止装置を２つ設けている。揺動アームがウェブ材を押止装置の下に配置した後、押止装置は、短時間、最後に配置された返し輪上へと下降して返し輪を押し込んで、その膨らみの嵩を減らすので、収納容器に大量のウェブ材を詰め込むことができる。
【０００４】
この種の押止装置の欠点は、装置費用がかさむとともに、揺動アームの動きに合わせた連係動作が複雑になることである。  
【発明の開示】
【発明が解決しようとする課題】
【０００５】
したがって、本発明の課題は簡単な構造でこの種の装置を実現することである。
【課題を解決するための手段】
【０００６】
この課題はこの種の装置において、押止装置を揺動アーム上に設けることにより解決される。
【０００７】
押止装置を揺動アームに直接設けることにより、装置の構成が簡単になる。また、例えば、空圧式の押止装置の運動を揺動アームの振り子運動と連携させる必要がなくなるなどの利点もある。
【０００８】
この種の構造をとる装置の好ましい形態では、揺動アームが略水平な揺動軸に枢着され，揺動軸から遠い側にある揺動アーム端に押止装置が設けられる。
【０００９】
また、押止装置に円弧状の面を形成し、この円弧面が最後に載せたジグザグ長のウェブ材上を滑動するようにしてもよい。この滑動により、ジグザグ長の折り返し点エリアに生じたウェブ材の膨らみが押し込まれて、ジグザグ長のウェブ材は省スペースで、順次、積層体として重ねられるため、収納容器または輸送容器のウェブ材詰め込み量を上げることができる。
【００１０】
供給ウェブ材の配置調整のために、上記円弧面のエリアに低摩擦面を形成することが好ましい。この種の低摩擦面は研磨、コーティングなどの手法により実現可能である。これにより、横方向力が上面の素材に伝達することが防止される。
【００１１】
揺動アームの慣性質量を最小限に抑えた軽量の実施形態において、押止装置の断面は略リング片の形状をとる。リング片の底面は最後の素材長に対して滑動面となる。
【００１２】
また、押止装置の後部に少なくとも１つの切欠きを形成することで、さらに軽量化が図られる。
【００１３】
好ましくは、揺動アームにウェブコンベアを設け、このウェブコンベアによりウェブ材が、揺動アームの上端から押止装置の開口部に移動した後、開口部を抜けて揺動アームの外に出るようにする。このようなウェブコンベアを設けることで、揺動アームの全振れ幅に亘り、また押止装置の開口部通過に際してウェブ材の移動が滑らかになる。
【００１４】
別の形態において、ウェブコンベアの構成要素として、少なくとも１つの下方変位ローラが設けられ、押止装置のエリアは当該変位ローラの下側位置まで広がり、このエリアには上方に延在する壁面が隣接し、この壁面が変位ローラの底側より上方の位置まで延在する。円弧状エリアの一部がウェブコンベアまたは下方変位ローラの下方位置まで延在するので、配置済みである最上位ジグザグ長が変位ローラまたはコンベアベルトの通過により損なわれることはない。上方に延在する壁面により、揺動アームから出されるウェブ材の排出動作（exiting action）が改善される。
【００１５】
また、好ましい形態として、上記壁面とともにこれと対称な壁面を配置することで、出口である上記開口部の断面が上方に向けて先細りになるようにする。全体として、開口部は断面が漏斗状になるため、返し位置でウェブ材の配置再現（reproducible placement）が可能になる。
【００１６】
好ましくは、押止装置の上端に漏斗部が形成され、この漏斗部を通ってウェブ材がウェブコンベアに供給され、これにより、揺動アームの振れ位置に関わらず、ウェブ材の供給が均一に行われる。
【００１７】
揺動アームの振り子特性に配慮し、また、一層の軽量化を図るために、揺動アームに開口を設けることができる。この種の開口を設けることにより、軽量素材、例えばアルミニウム製の揺動アームはさらに軽量化される。
【００１８】
別の好ましい形態として、揺動アームの駆動をリニアモータで実施する。リニアモータを採用することにより、揺動アームの振れ速度は矩形関数で近似されることになり、振れ運動の端部での方向反転（折り返し）時間は無視できるほど短くなる。
【００１９】
さらに、本発明の好ましい形態では、収納容器、輸送容器として缶を使用し、缶内にウェブ材をジグザグ配置（折り畳み配置）により積層する。この種の缶は繊維業界ではよく知られており、大量のウェブ長を収納するのに適している。
【００２０】
好ましくは、この種の缶は略矩形の底部を備え、この底部においてウェブ材は缶の両長辺間に延在する。したがって，揺動アームの振り子運動の移動距離は缶の両長辺間で振れるため短い。
【００２１】
本発明の別の形態において、缶にはジグザグ長が配置（載置）される載置板が設けられ、この載置板は缶の内方へのバネの力に抗して下降可能であり、結果として装置構造はさらに簡単になる。配置したジグザグ長の高さ（嵩）に合わせて揺動アームまたは缶の高さを再調整する必要はない。配置したウェブ材の量に応じて載置板が押し下げられ、下降するため、高さ調整は自動的に行われる。
【００２２】
別の形態において、缶は、揺動アームの下側を通るように、駆動手段により揺動アームの揺動軸方向に移動可能であり、この場合、ジグザグ長でのウェブ材配置を容易に実現できる。缶の移動速度により，ジグザグ長の形状を変えることもできる。
【００２３】
簡単なジグザグ配置を実現するために、缶をその長辺方向に移動可能とする構成が好ましい。
【００２４】
さらに好ましい構成では、２つの缶を移動可能な基礎構造を設ける。２つの缶が移動可能な基礎構造を使用することにより、詰め込みが完了した缶と次のまだ空の缶との交換を、ウェブ材の供給を中断しなくても、２つの缶を揺動アームの下方で順次、後ろ側に通すことなどにより行うことができる。これにより、休止時間とそれによるコスト増を抑えることができる。また、３個以上の缶を移動可能に設けるようにしてもよい。例えば、第１の缶に詰めている間に、第２の缶を第１の缶の後側に待機させ、その間、第３の缶は基礎構造に移すようにする。
【００２５】
さらに本発明は、ウェブ材を矩形エリア内にジグザグ長の積層で配置収納する方法に関するものである。
【００２６】
従来のウェブ材配置収納方法では、ウェブ材をジグザグ長（折り畳み）形式で積層させて配置していた。ジグザグ長の折り返し（reversal）位置、すなわちウェブ材の向きが反転するジグザグ長の箇所に問題があり、上方に張り出して場所をとるループ（輪）が出来る。層数が増えると押止装置が作用して輪の膨らみは折り込まれて減るが、それでも折り込まれた輪の部分はジグザグ長の残部より大きな収納体積を占める。
【００２７】
したがって、本発明の課題はこの種の配置収納方法においてウェブ材をコンパクトに配置する方法を提供することである。
【００２８】
この種の配置収納方法に関する課題解決手段として、層を新たに配置（載置）する際に、その少なくとも１つの折り返し点を直下層の折り返し点よりも内側に配置するようにする。
【００２９】
これにより、折り畳んだウェブ材の折り返し点に関して、ある層での折り返し点と次層の折り返し点とがずれるため，折り畳んだ層は垂直方向に揃わずずれるため、コンパクトな積層配置が可能となるとともに、収容容器または輸送容器に収納できるウェブ材の詰め込み量が増える。
【００３０】
好ましい形態において、ジグザグ長の折り返し点は１層の範囲内で、同一の折り返し列（common reversal row）をなすように並べることにより、１層内において、ジグザグ長を展開する際、揺動アームの振り子端位置は一定に保たれる。
【００３１】
更なる好ましい形態において、新たに配置される層の２つの折り返し列は、直下層の折り返し列に対して、ある距離だけ横にずれることにより、両層の折り返し点の一致が防止される。
【００３２】
積層配置によるウェブ材のコンパクト配置のために好ましい形態として、１つの層に係る２つの折り返し点が内側に形成された後、前記矩形エリアと面が揃えられた２つの折り返し点が続き、後続層に係る、面が揃えられた当該２つの折り返し点は前記１つの層に係る２つの折り返し点の上側に形成される。
【００３３】
したがって、２層をそれぞれ配置した後、同様な２層の配置が周期的に繰り返される形態が好ましい。
【発明を実施するための最良の形態】
【００３４】
以下、図面を参照して、本発明に係る装置及び方法を詳細に説明する。
【００３５】
図１に、連続供給されるウェブ材Ｍをジグザグ長（折り畳み形態）で配置する装置の斜視図を示す。基本的に、装置は、基礎構造２５、２つの矩形缶２、および、図１の筺体２２に覆われ、缶２の上方に配置される揺動アーム２２を備える。矩形缶２は基本的に、長辺Ｌと短辺Ｓを有する矩形状底部（base area）を備え、複数のロール２０からなる面に沿って滑動可能に支持される。このために、缶２の下方にはロール２０の駆動手段が設けられ、この駆動手段により缶２は揺動アームの下側で長辺Ｌ方向に所定の速度で往復運動が可能である。
【００３６】
基礎構造（substructure）２５は、図２〜図４に示すように、２つの缶２を隣接可能とし、互いの背後に移動可能とする適当な寸法で構成される。図示の実施形態において、図１の右側缶２にはウェブ材Ｍが詰められる、すなわちこの缶２はウェブ材Ｍの供給路上に位置する揺動アーム１（図２参照）の下側で前後に移動する。この缶２への詰め込みが完了する少し前に、第２の缶が詰め込み中の缶２の背後である待機位置（changing position、交代位置）に移動し、その後、両缶は、短辺Ｓで互いに寄りかかって、移動し、揺動アーム１の下側を通る。詰め込んだ缶が基礎構造２５から排出される際、ウェブ材の供給を中断することなく、次の缶２への詰め込みが行われる。これにより、配置収納装置の休止時間がなくなるので、例えば、ウェブ材製造装置から連続的に供給されるウェブ材Ｍを一時的に収納する中間的な収納装置のようなものは不要となる。実施形態に示す基礎構造２５は、第２の缶２が第１の缶２の交代としてその後側に移動する際に、第３の缶について装置への搬入が完了しているような寸法を有する。
【００３７】
図示の実施形態で使用する缶２は繊維業界で広く使用される矩形缶２であり、例えば、高さ１２７０ｍｍ、幅４１０ｍｍ、長さ１１９０ｍｍであり、かなり大量のウェブ材を収納可能である。缶２は矩形の底部を備える。缶２の内部には例えば、図８の断面図に示すように、載置板としてのバネ板１２があり、これが縦方向に下降する。未収納の缶２の場合は、バネＦの作用で、載置板１２はその上部開口部近辺に固定される。重ねられるウェブ材Ｍが増えるにつれ、バネＦは圧縮されるため、載置板１２は缶の内部へと下降する。
【００３８】
バネＦの力をウェブ材Ｍの単位体積重量に合せることにより、揺動アーム１と載置面（laying surface）間の高さ調整をウェブ材Ｍの重量により自動的に行うことができる。すなわち、ジグザグ長４の配置（載置）を常に缶２の開口部のレベル近くで行うことができる。また、バネＦの力を加減設定して載置したウェブ材Ｍの重量ではバネＦが圧縮しない程度にする。この場合、バネＦの残力は常時、下方から、揺動アーム１（図５参照）上の押止装置３に対して加わるため、積層したウェブ材が圧縮される。載置板１２が缶２の下端に達した後に、ウェブ材Ｍをさらに重ねていくと、押止装置３と上部層Ｅの間の摩擦力が増加して、さらに圧縮される。
【００３９】
図２から図４において、揺動アーム１周囲の筺体２２の蓋２４は開いており、その開口を通して、作業員１５は整備、保守などの作業を行う。配置収納作業の開始時にウェブ材Ｍが供給ホッパ型の開口部２３を介して揺動アーム１に導入される場合、蓋２４の開口は不要である。その際、ウェブ材Ｍは外部から供給ホッパ形状の筺体開口部２３内に導入するだけでよく、そこから、ウェブ材は後述のように、ウェブコンベアに乗せられて下方に搬送される。
【００４０】
以下、図５、図６ａ、図６ｂを参照して、揺動アーム１の細部および機能を説明する。
【００４１】
揺動アーム１は、基礎構造２５の上側において、筺体２２内部に枢動可能に取り付けられている。上流の梳綿機（carder）から図示しない供給装置を介して、ウェブ材が上方から連続供給され、筺体２２に設けた供給ホッパ型の開口部２３から導入される。
【００４２】
揺動アーム１は筺体２２内において、ほぼ水平方向の揺動軸Ａ（枢動軸）に枢動可能に支持されている。図示の揺動軸Ａは、対型ウェブコンベア７を駆動する駆動ローラ１６ａ、１６ｂの回転軸間の中央近辺に位置する(図６ｂ参照)。揺動アーム１はリニアモータ２８で駆動される。この種のリニアモータ２８は、小型ながら、パワーが大きい特徴があり、それにより、揺動アーム１の振り子運動端位置での方向反転時間が短く、揺動アーム１の揺動速度は矩形関数で近似される。
【００４３】
揺動アーム１は側面（図５）が錨形であり、断面がＵ字形のシャフト(柄)１４を備える。図示の形態において、対型のウェブコンベア７はこのシャフト１４上に配設され、シャフト１４の下端には押止装置３が設けられる。ウェブコンベア７は揺動アーム１の上端にある前方ローラ１７ａ、１７ｂと下端にある後方ローラ１６ａ、１６ｂを備え、後方ローラはベルト１８ａ、１８ｂを介して前方ローラ１７ａ、１７ｂに駆動、結合される。両端にあるこれらのローラ（１６ａ、１６ｂ）、（１７ａ、１７ｂ）の各組は同一速度で、反対方向に回転するため、コンベアベルト１８ａ、１８ｂは図６ａに２つの矢印で示すように移動し、これにより、ウェブ材Ｍは図５に示すようにシャフト１４の長さ方向に沿って、ベルト搬送される。
【００４４】
Ｕ字形シャフト１４の下端、すなわち、揺動軸Ａの反対側（揺動軸Ａから遠い側）にある揺動アーム１端部には、円形リング片の形状をした押止装置３が設けられ、その底側には円弧状の面６が形成され、この円弧面６の曲率半径は揺動軸Ａまでの距離に等しい。円弧面６は揺動アーム１に対して対称であり、例えば研磨またはコーティングなどにより、特に低摩擦性にされている。押止装置３の中央には漏斗状の開口部８が形成され、揺動アーム１を下降してきたウェブ材Ｍはこの漏斗状開口部８を通って揺動アーム１の外に排出され、缶２内のウェブ積層Ｅ上に載置される。押止装置３の下方には、輸送容器または収納容器として缶２が配置され、缶２は、揺動アーム１の下方において、揺動軸Ａの方向に、短辺Ｓから対辺の短辺Ｓまでの間を、前後に移動するため、ウェブ材Ｍの配置は水平面でのジグザグ長形態（折り畳み形態）となる（図７参照）。缶２の走行速度によってジグザグ長４を調整可能である。例えば、水平な個々のジグザグ長間の角度は缶４の速度上昇に伴って増加し、速度減少につれて減少する、すなわち、ジグザグ長４は密に配置される。したがって、缶２の走行速度をウェブ材の幅ＢＢに合わせることにより、ジグザグ長４が互いに横方向に隣接するようにして密に配置、収納されるようにすることが好ましい。
【００４５】
図５からも分かるように、缶２の長さに渡る個々のウェブ層Ｅは円弧面６の半径に相当する曲率半径を有し、この円弧面６によりウェブ層Ｅは載置板１２のバネＦの力に抗して缶２内に押圧される。
【００４６】
ウェブ材Ｍは、ウェブ製造機（例えば、梳綿機など）から供給系統を介して配置装置にウェブ供給速度ＶＬで連続供給される。供給と同一速度でウェブ材Ｍの配置収納（lay）が行われる。
【００４７】
ウェブ材Ｍは上方から筺体開口部２３を通って配置装置に供給される。筺体開口部２３の下方では、揺動アーム１が缶２の開口部の上方において缶２の長辺Ｌ間で前後に振れる。筺体開口部２３に面した揺動アーム１端部には、漏斗状ウェブ取込部９が設けられ、その漏斗面は傾斜して揺動アーム１のどの振れ位置にも対応しており、装置へのウェブ材Ｍの供給、取り込みは一定に維持される。ウェブ材が供給される方向には、漏斗状ウェブ取込部９に隣接して対型ウェブコンベア７が設けられ、ウェブ材Ｍをシャフト１４の長さ方向に搬送する。揺動アーム１の下端において、ウェブ材Ｍは矩形缶２を横切って振れる揺動アーム１の開口部８から出て、押止装置３のエリアに進み、ジグザグ長の積層Ｅとして缶２内に配置収納される。揺動アーム１は軽量化することで揺動特性が改善されるので、アルミニウムなどの軽い材質で構成する。また、シャフト１４に複数の開口１０を形成する。同じく、軽量化のために、押止装置３の後部にも切欠き１１を形成する。
【００４８】
揺動アーム１の振動（swing）周波数は、円弧面６エリアでの移動速度がウェブ材Ｍの供給速度ＶＬにほぼ等しくなるように調整する。揺動アーム１が左端から右端の位置に振れる間に、ウェブ材Ｍは供給され、その供給長は缶２の幅にほぼ等しい。以下、この点につき、図７から図１１を参照して詳細に説明する。
【００４９】
揺動アーム１から出たウェブ材Ｍは、まず、シャフト１４方向、すなわち、押止装置３の円弧面６とほぼ直角な方向に進む。
【００５０】
次に、ウェブ材Ｍは一番上にあるジグザグ長４に達する。最上層のジグザグ長４は押止装置３の下側で配置されており、ウェブ材Ｍは、揺動アーム１の振り子運動に応じて缶２の辺から対辺へと向きを変えながら、既に載置されたジグザグ長の上に平らに重ねられる。したがって、ジグザグ長は縦方向に積層Ｅとして積層配置される。
【００５１】
図５に示すように、揺動アーム１が振り子運動の左端位置にあるとき、ウェブ材Ｍに返し輪（reversal loop）が形成される。この種の返し輪は、ウェブ材の材質や厚みなどに依存して大なり小なり上に膨らみ、それ以上、ウェブ材Ｍを積層Ｅ上に載置していくことが困難になるおそれがある。このような膨らみを極力抑えるために、揺動アーム１の下端に押止装置３を取り付けて、一緒に揺動するようにする。揺動アーム１が振れる際に、一番上のジグザグ長４上を滑動しつつも押圧し、特に、折り返し点５において、下方に押圧することで返し輪の膨らみは抑えられ、缶２の詰め込み率が改善される。このために、押止装置３の面６は、特に低摩擦に形成して、配置済みのジグザグ長４が横方向の力により位置ずれを起こさないようにする。特に、振り子運動の交差方向に、押止装置３からジグザグ長４に加わる力が積層体Ｅを摩擦力で互いに固定しようとする力より小さくなるようにする。
【００５２】
図示の実施形態において、載置板１２のバネＦの力の大きさは、積層Ｅが押止装置３と載置板１２間で締め付け力を受けるようにして積層Ｅのコンパクトな配置収納が可能な程度にされる。積層Ｅは面６の半径に応じて缶２の中央部で下方に湾曲するが、これは、缶への詰め込みに関して問題にならない。なぜなら、缶２の縁近辺に形成される折り返し部は、ジグザグ長４の他の部分より場所（volume）を必要とするからである。配置収納作業の開始時に、まず、例えば、ワイヤ２６（図８参照）などにより、載置板１２を缶２の開口部近くに固定して、押止装置３が押し付けられないようにし、低摩擦面６が損傷を受けないようにする。載置板１２の上方と押止装置３の間にある空間がウェブ材Ｍで充填されさえすれば、積層Ｅは締め付けられることになる。
【００５３】
押止装置３の面６は対型ウェブコンベア７の下方位置まで延在する。したがって、ウェブコンベア７の前方(下側)ローラ１７ａ、１７ｂは、押止装置３の面６により、ジグザグ長４から隔てられる。押止装置３の中央に設けられた開口部８には対称的に配置された２つの壁面が形成され、ローラ１７ａと１７ｂの中間位置まで上方に延びている。この傾斜した壁面８ａにより開口部８は漏斗形の断面となり、これにより、ウェブ材Ｍは、ジグザグ長４の折り返し点５で折り返しが行われる。折り返し点５のエリアに形成される返し輪は押止装置３により上から押止され、アイロン掛けの要領で平らにされるため、ジグザグ長４は平らになってその積層空間が削減される。
【００５４】
図５に模式的に示すように、折り返し点５エリアでの膨らみは、積層が高くなると、すなわち、縦に積み重ねられたジグザグ長４の層数が多くなると、平らになる傾向がある。しかし、缶２内の奥（深部）に収められたジグザグ長にはウェブ材の折畳み部（fold）で嵩張るものも残っているため、積層Ｅが円弧形状になることは全く問題にならない。
【００５５】
以下、折畳み部を形成しながらも、詰め込み量を増大する配置収納方法について、図７から図１１を参照して説明する。積層支持板として機能する矩形エリアは、下記の具体例では矩形の載置板１２で基本的に構成される。
【００５６】
図７に示す矩形缶２の平面図において、缶２の長辺Ｌ間で、複数のジグザグ長４が縦に重ねられた積層Ｅとして展開されている。ジグザグ長４の折り返し点５は、長さ方向から缶２を見た場合に、缶２の左右にある長辺Ｌのエリア内に配置され、折り返し点５は折り返し列Ｒとして揃えられる。
【００５７】
上側の層Ｅ１では、どのジグザグ長４もその長さは缶２の幅Ｂｘ（載置板１２の幅Ｂｘ）にほぼ等しいＡ１である。このため、折り返し列Ｒの位置は缶２の長辺Ｌとほぼ同一面となる(面が揃う)。
【００５８】
次の下層Ｅ２に関しては、折り返し列Ｒを図７に破線で示すように、ジグザグ長４の長さは上記長さＡ１より短い。したがって、層Ｅ２は載置板１２の矩形エリアより小さい。すなわち、この層Ｅ２の折り返し点５（または折り返し列Ｒ）は、缶２の長辺Ｌ（または下層Ｅ１の折り返し行Ｒ）のところまで距離ΔＡがある。この結果、折り返し点５は層間で異なって縦方向にずれ、折り返し点または折畳み位置は互いにずれる（図８参照）。
【００５９】
このようにして、ジグザグ長４のコンパクトな配置収納が実現されるとともにジグザグ長４相互間の折り返し部が尖らず、鋭利にならない。折り返し部が鋭すぎるとウェブ材を出発材料とする各種後工程で問題になる。このようなジグザグ長４の配置収納を実現するため、揺動アーム１の振れ幅（pendulum travel）は、ある層Ｅから次の層への移動に伴い（すなわち、揺動アーム１の下方にある缶２の移動方向が反転するのに伴い）、増減を交互に繰り返し、その結果、層Ｅは長さが交互に長いＡ１、短いＡ２となって積層化される。折り返し点５または折り返し列Ｒが、層Ｅを順次、重ねていく際に、距離ΔＡだけ、交互にずらして配置される配置法の仕組みは図１３ｂに側面図として概略的に示される。
【００６０】
配置収納法の他の実施形態を図９、図１０に示し、これに対応する概略的な配置図を図１３ａに示す。上記の方法と異なり、この配置収納プロセスでは、個々の層Ｅのジグザグ長４は同じ長さＡ２であり、この長さＡ２は矩形缶２の内幅Ｂｋ（矩形載置板１２の幅）より約距離ΔＡだけ短い。
【００６１】
新たな層Ｅ２に係るジグザグ長４の折り返し列Ｒ（左右に２つ）は前層のものに比べ、それぞれ、右または左に距離ΔＡだけずれている。図９にＥ１で示す層では、ジグザグ長４または片方の折り返し列Ｒが、缶２の右側（右辺）と面が揃っており、次の層Ｅ２では、左側の折り返し列Ｒが缶２の左辺と同一面になっている。この方法の場合、層Ｅを順次、重ねていくのに伴い、揺動アーム１の左端位置、右端位置が交互に内側に移動する（図１３ａ参照）。
【００６２】
本発明に係る配置収納法の更に別の形態を図１１、図１２に示す。この変形形態では、個々の層Ｅの折り返し点は同じ折り返し列Ｒ上に揃っておらず、１つの層Ｅ内で、互いにずれており、層Ｅは鋸歯状の輪郭を形成している。
【００６３】
したがって、折り返し点５が連続的に変化する形態でジグザグ長４の配置が行われる。積層方向から見て、内側に距離ΔＡだけずれた２つの折り返し点５の後に缶２の長辺Ｌと面を揃えた２つの折り返し点５が続く。その結果、１辺Ｌと同一面の折り返し点５とそれより内側での折り返し点とが交互に形成されて層Ｅに鋸歯状の輪郭が形成される。次の層Ｅ２では、下層Ｅ１において折り返し点が内側寄りになっているところに対しては、辺と同一面にまで伸ばされて外側寄りの折り返し点が形成され、逆の場合にはこの逆となる。このような配置、収納を行うことにより、折り返し部が縦に揃って重なる問題が解消される。
【００６４】
これに対応する、図１３ｃの概略図において、前方にある折り返し点は実線で示し、その背後にある同一層の折り返し点は破線で示す。
【図面の簡単な説明】
【００６５】
【図１】複数の収納缶の基礎構造を備えた、本発明に係る装置の斜視図である。
【図２】図１の装置の側面図である。
【図３】図１の装置の前部端面図である。
【図４】図１の装置の平面図である。
【図５】本発明に係る揺動アームの具体例とその筺体を示す断面図である。
【図６ａ】図５のＶＩａにおける拡大詳細図である。
【図６ｂ】図５のＶＩｂにおける拡大詳細図である。
【図７】缶に配置したジグザグ長の平面図である。
【図８】図７のＶＩＩＩａに沿った断面図である。
【図９】缶に配置したジグザグ長の別の平面図である。
【図１０】図９のＸ−Ｘに沿った断面図である。
【図１１】缶に配置したジグザグ長の別の平面図である。
【図１２】図１１のＸＩＩ−ＸＩＩに沿った断面図である。
【図１３ａ】図７、図９、図１１のウェブ材配置方法の模式図である。
【図１３ｂ】図７、図９、図１１のウェブ材配置方法の模式図である。
【図１３ｃ】図７、図９、図１１のウェブ材配置方法の模式図である。
【符号の説明】
【００６６】
１  揺動アーム
２  収納容器（輸送容器）、缶
３  押止装置
４  ジグザグ長
５  折り返し点
６  面
７  ウェブコンベア
８  開口部
８ａ  壁面
９  漏斗状部
１０  開口部
１１  切欠き部
１２  載置板、矩形板
１４  シャフト
１５  作業員
１６ａ、１６ｂ  ローラ
１７ａ、１７ｂ  ローラ
１８ａ、１８ｂ  ベルト
２０  ロール
２２  筺体
２３  筺体開口部、取込開口部
２４  蓋
２５  基礎構造
２６  ワイヤ
２８  リニアモータ
Ｍ  ウェブ材
Ａ  揺動軸
Ｅ  層
Ｅ１  層
Ｅ２  層
Ｒ  折り返し列
Ｌ  長辺
Ｓ  短辺
Ｆ  バネ
ＢＢ  ウェブ幅
ＢＫ  缶幅
Ａ１  ウェブ長
Ａ２  ウェブ長
ΔＡ  距離
ＶＬ  速度
【図１】
0005215573.tif 000002
【図２】
0005215573.tif 000003
【図３】
0005215573.tif 000004
【図４】
0005215573.tif 000005
【図５】
0005215573.tif 000006
【図６ａ】
0005215573.tif 000007
【図６ｂ】
0005215573.tif 000008
【図７】
0005215573.tif 000009
【図８】
0005215573.tif 000010
【図９】
0005215573.tif 000011
【図１０】
0005215573.tif 000012
【図１１】
0005215573.tif 000013
【図１２】
0005215573.tif 000014
【図１３ａ】
0005215573.tif 000015
【図１３ｂ】
0005215573.tif 000016
【図１３ｃ】
0005215573.tif 000017